(57)【要約】      （修正有）【課題】足部の内外側の筋肉を充分に伸び広がることができ、折畳んで収納することもできる足部伸び広がり用身体鍛錬器を提供する。【解決手段】ベース１０は、横ロッド１１と、中央ロッド１２とを含み、その上でハンドル伸縮装置１３が固定されており、前記中央ロッドの両側には、滑車装置６２と、枢着部１２１とがそれぞれ設けられており、前記二つのサイド枠は、展開や折畳可能であり、固定端２１と、ベースロッド２２，２３と、固定端とベースロッドを連接する複数の連接部５０とをそれぞれ含み、前記二つの固定端は、前記ベースの中央ロッドの両側に設けられた枢着部にそれぞれ枢着されており、前記二つのペダルの底部には、摺動止め装置６０と、ペダル２３，３３が規制範囲を超えて移動することを防止するための規制装置７０と、フック６３とが設けられている。【選択図】図１
0003166304.tif 000002
【実用新案登録請求の範囲】
【請求項１】
ベースと、二つのサイド枠と、二つのペダルと、を含む足部伸び広がり用身体鍛錬器において、
前記ベースは、横ロッドと、中央ロッドと、を含み、その上でハンドル伸縮装置が固定されており、前記中央ロッドの両側には、滑車装置と、枢着部と、がそれぞれ設けられており、
前記二つのサイド枠は、展開や折畳可能であり、固定端と、ベースロッドと、固定端とベースロッドを連接する複数の連接部と、をそれぞれ含み、前記二つの固定端は、前記ベースの中央ロッドの両側に設けられた枢着部にそれぞれ枢着されており、
前記二つのペダルの底部には、摺動止め装置と、前記ペダルが規制範囲を超えて移動することを防止するための規制装置と、フックと、が設けられており、前記摺動止め装置は、滑車装置と、規制板と、を含み、前記滑車装置と前記規制板の摺動が前記サイド枠の連接部に規制され、抵抗具は、一端が前記ペダルの底部の前記フックに掛かられており、他端が前記中央ロッドの一側に設けられた滑車装置を巻付けて前記ベースロッドに設けられたフックに掛かられていることを特徴とする足部伸び広がり用身体鍛錬器。
【請求項２】
前記ハンドル伸縮装置は、連接管と、調整管と、固定子と、ハンドルと、を含み、前記連接管が前記ベースの上に位置されており、前記連接管に前記調整管が挿入されており、前記調整管の上端に前記ハンドルが設けられており、前記調整管の下段には、上から下に調整穴が複数に開設されており、前記連接管には、挿入部と、前記調整管を固定するための固定子と、が設けられており、前記固定子が前記挿入部と前記調整穴のうちの一つとに貫入されていることを特徴とする、請求項１に記載の足部伸び広がり用身体鍛錬器。
【請求項３】
前記抵抗具は弾性子であることを特徴とする、請求項１に記載の足部伸び広がり用身体鍛錬器。
【請求項４】
前記サイド枠の固定端と前記ベースロッドの間には形成された連接部は下に凹んでいることを特徴とする、請求項１に記載の足部伸び広がり用身体鍛錬器。
【請求項５】
前記規制装置は、前記ペダルの底部に固定された止めロッドと、前記連接部の内側の規制装置に固定され前記止めロッドをストップするための止め体と、を含むことを特徴とする、請求項１に記載の足部伸び広がり用身体鍛錬器。
【考案の詳細な説明】
【技術分野】
【０００１】
本考案は、身体鍛錬器に関し、特に、足部の内外側の筋肉を充分に伸び広がることができる足部伸び広がり用身体鍛錬器に関するものである。
【背景技術】
【０００２】
従来、身体の各部位の筋肉を鍛錬する身体鍛錬器が多種類あり、なお、足部の筋肉を鍛錬する身体鍛錬器の種類は、ジョギング式と、太もも挟み式と、踏込み式と、筋引延し式と、などがあるが、足部の内外側の筋肉を同時に鍛錬可能な身体鍛錬器が珍しい。
【考案の開示】
【考案が解決しようとする課題】
【０００３】
本考案の主な目的は、より多い運動モードを提供され、足部の内外側の筋肉を充分に伸び広がることができる足部伸び広がり用身体鍛錬器を提供することにある。
【課題を解決するための手段】
【０００４】
本考案の請求項１に記載の足部伸び広がり用身体鍛錬器によると、ベースと、二つのサイド枠と、二つのペダルと、を含む足部伸び広がり用身体鍛錬器において、
前記ベースは、横ロッドと、中央ロッドと、を含み、その上でハンドル伸縮装置が固定されており、前記中央ロッドの両側には、滑車装置と、枢着部と、がそれぞれ設けられており、
前記二つのサイド枠は、展開や折畳可能であり、固定端と、ベースロッドと、固定端とベースロッドを連接する複数の連接部と、をそれぞれ含み、前記二つの固定端は、前記ベースの中央ロッドの両側に設けられた枢着部にそれぞれ枢着されており、
前記二つのペダルの底部には、摺動止め装置と、前記ペダルが規制範囲を超えて移動することを防止するための規制装置と、フックと、が設けられており、前記摺動止め装置は、滑車装置と、規制板と、を含み、前記滑車装置と前記規制板の摺動が前記サイド枠の連接部に規制され、抵抗具は、一端が前記ペダルの底部の前記フックに掛かられており、他端が前記中央ロッドの一側に設けられた滑車装置を巻付けて前記ベースロッドに設けられたフックに掛かられていることを特徴とする足部伸び広がり用身体鍛錬器である。
【０００５】
本考案の請求項２に記載の足部伸び広がり用身体鍛錬器によると、前記ハンドル伸縮装置は、連接管と、調整管と、固定子と、ハンドルと、を含み、前記連接管が前記ベースの上に位置されており、前記連接管に前記調整管が挿入されており、前記調整管の上端に前記ハンドルが設けられており、前記調整管の下段には、上から下に調整穴が複数に開設されており、前記連接管には、挿入部と、前記調整管を固定するための固定子と、が設けられており、前記固定子が前記挿入部と前記調整穴のうちの一つとに貫入されている。
本考案の請求項３に記載の足部伸び広がり用身体鍛錬器によると、前記抵抗具は弾性子である。
【０００６】
本考案の請求項４に記載の足部伸び広がり用身体鍛錬器によると、前記サイド枠の固定端と前記ベースロッドの間には形成された連接部は下に凹んでいる。
本考案の請求項５に記載の足部伸び広がり用身体鍛錬器によると、前記規制装置は、前記ペダルの底部に固定された止めロッドと、前記連接部の内側の規制装置に固定され前記止めロッドをストップするための止め体と、を含む。
【考案の効果】
【０００７】
本考案の足部伸び広がり用身体鍛錬器によれば、次のような効果がある。
（１）より多い運動モードが提供され、足部の内外側の筋肉を充分に伸び広がることができる。
（２）折畳んで収納することができるので、極めて便利であり、収納スペースを減少することができる。
【考案を実施するための最良の形態】
【０００８】
以下、本考案の実施の形態を図面に基づいて説明する。
まず、図１乃至図３を参照する。本考案に係る足部伸び広がり用身体鍛錬器は、ベース１０と、第一サイド枠２０と、第一ペダル２３と、抵抗具４０と、第二サイド枠３０と、第二ペダル３３と、を含む。
【０００９】
ベース１０は、横ロッド１１と、横ロッド１１の中央に設けられ横ロッド１１と垂直している中央ロッド１２と、を含み、中央ロッド１２の両側には、滑車装置１２２と、一対の枢着部１２１と、が設けられており、横ロッド１１の上面の中央にはハンドル伸縮装置１３が立設されており、ハンドル伸縮装置１３は、連接管１３１と、連接管１３１に挿入されている調整管１４と、を含み、連接管１３１の上で挿入部１３２が設けられており、調整管１４は上から下に調整穴１４１が複数に開設されており、固定子１３１を挿入部１３２に挿入して調整穴１４１のうちの一つにねじ込むと、調整管１４が固定されるようになり、調整管１４の上端にはハンドル１４２が設けられており、ハンドル１４２により、ユーザは、握って運動し、又は全体の高さを調整することができる。
【００１０】
第一サイド枠２０は、一対の第一固定端２１と、第一ベースロッド２２と、を含み、第一固定端２１と第一ベースロッド２２の間には下に凹んでいる連接部５０が設けられており、ベース１０の枢着部１２１に第一サイド枠２０の第一固定端２１が枢着されている。
第一ペダル２３は、その底部には、摺動止め装置６０と、規制装置７０と、フック６３と、が設けられており、摺動止め装置６０は、滑車装置６２と、規制板６１と、を含み、摺動止め装置６０の規制板６１により、第一ペダル２３が連接部５０だけを摺動可能であり、抵抗具４０は、一端が第一ペダル２３のフック６３に掛かられており、他端が中央ロッド１２の一側に設けられた滑車装置１２２を巻付けて第一ベースロッド２２に設けられたフック６４に掛かられており、抵抗具４０は弾性を有するロープであり、抵抗具４０により第一ペダル２３の移動には抵抗が加えられており、規制装置７０は、第一ペダル２３の底部に固定された止めロッド７１と、連接部５０の内側の規制装置に固定され止めロッド７１をストップするための止め体７２と、を含み、規制装置７０により、第一ペダル２３が所定範囲を外れることがなくなる。
【００１１】
第二サイド枠３０は、一対の第二固定端３１と、第二ベースロッド３２と、を含み、第二固定端３１と第二ベースロッド３２の間には下に凹んでいる連接部５０が設けられており、ベース１０の枢着部１２１に第二サイド枠３０の第二固定端３１が枢着されている。
第二ペダル３３は、その底部には、摺動止め装置６０と、規制装置７０と、フック６３と、が設けられており、摺動止め装置６０は、滑車装置６２と、規制板６１と、を含み、摺動止め装置６０の規制板６１により、第二ペダル３３が連接部５０だけを摺動可能であり、抵抗具４０は、一端が第二ペダル３３のフック６３に掛かられており、他端が中央ロッド１２の一側に設けられた滑車装置１２２を巻付けて第二ベースロッド３２に設けられたフック６４に掛かられており、抵抗具４０は弾性を有するロープであり、抵抗具４０により第二ペダル３３の移動には抵抗が加えられており、規制装置７０は、第二ペダル３３の底部に固定された止めロッド７１と、連接部５０の内側の規制装置に固定され前記止めロッド７１をストップするための止め体７２と、を含み、規制装置７０により、第二ペダル３３が所定範囲を外れることがなくなる。
【００１２】
枢着部１２１により、第一サイド枠２０と第二サイド枠３０が中央ロッド１２の両側に枢着されるようになり、本考案を使用したいときには、第一サイド枠２０と第二サイド枠３０を展開して使用することができ、なお、本考案を収納したいときには、第一サイド枠２０と第二サイド枠３０を折り畳むと全体の体積が小さくなり、収納スペースを減少することができる。
次に、本考案の使用方法を説明する。ユーザは、本考案に係る足部伸び広がり用身体鍛錬器の第一ペダル２３と第二ペダル３３に両足をそれぞれ立って、手でハンドル伸縮装置１３のハンドル１４２を握って、両足を横方向に広がっているときには、第一ペダル２３と第二ペダル３３がそれぞれ第一サイド枠２０と第二サイド枠３０との連接部５０を横方向に摺動し、第一ペダル２３と第二ペダル３３が抵抗具４０の引き力を受けているので、ユーザの力が抵抗具４０の引き力を超えると、始めて第一ペダル２３と第二ペダル３３を横方向に摺動することができ、また、ユーザの力が小さくなると、抵抗具４０の引き力により第一ペダル２３と第二ペダル３３が本来の位置に戻され、上記の動作を繰り返すと、足部の内外側にある筋肉を有効に鍛錬することができる。
【図面の簡単な説明】
【００１３】
【図１】本考案に係る足部伸び広がり用身体鍛錬器の分解斜視図である。
【図２】本考案に係る足部伸び広がり用身体鍛錬器の下面図である。
【図３】本考案に係る足部伸び広がり用身体鍛錬器の実施例を示す概略図である。
【符号の説明】
【００１４】
１０：ベース
１１：横ロッド
１２：中央ロッド
１３：ハンドル伸縮装置
１４：調整管
２０：第一サイド枠
２１：固定端
２２：第一ベースロッド
２３：第一ペダル
３０：第二サイド枠
３１：第二固定端
３２：第二ベースロッド
３３：第二ペダル
４０：抵抗具
５０：連接部
６０：摺動止め装置
６１：規制板
６２：滑車装置
６３：フック
７０：規制装置
７１：止めロッド
７２：止め体
１２２：滑車装置
１２１：枢着部
１３１：連接管
１３２：挿入部
１４１：調整穴
１４２：ハンドル
【図１】
0003166304.tif 000003
【図２】
0003166304.tif 000004
【図３】
0003166304.tif 000005